(57)【特許請求の範囲】
【請求項１】
前面板に設けられた開口部より奥側に配置される付勢部と、
前記付勢部によって前記開口部側に付勢される板状の操作ユニットと、
前記開口部の開口縁部に取り付けられ、前記付勢部の付勢力に抗して前記操作ユニットの位置を決める位置決めアダプターと、を備え、
前記位置決めアダプターは、
前記開口縁部に対して前記前面板の前面側からネジで取り付けられ、前記操作ユニットの外周部に沿った枠状部と、
前記枠状部に設けられ、前記操作ユニットに当接して前記操作ユニットの位置を決める複数の位置規制部と、を備え、
前記位置規制部は、前記枠状部から内側に突出し、前記操作ユニットの外周部の前面側に当接する当接片を備えていることを特徴とする平面スイッチ。
【請求項２】
前面板に設けられた開口部より奥側に配置される付勢部と、
前記付勢部によって前記開口部側に付勢される板状の操作ユニットと、
前記開口部の開口縁部に取り付けられ、前記付勢部の付勢力に抗して前記操作ユニットの位置を決める位置決めアダプターと、を備え、
前記位置決めアダプターは、
前記開口縁部に対して前記前面板の後面側に取り付けられ、前記操作ユニットの外周部に沿った枠状部と、
前記枠状部に設けられ、前記操作ユニットに当接して前記操作ユニットの位置を決める複数の位置規制部と、を備え、
前記位置規制部は、
前記枠状部から前記開口部を通って前記前面板の前面側に向かって延びる弾性変形可能なアーム部と、
前記アーム部の先端側に設けられ、前記操作ユニットの外周部の前面側に当接する爪部と、を備えていることを特徴とする平面スイッチ。
【請求項３】
前記アーム部は、前記アーム部の長さが、前記前面板の前面に対して前記操作ユニットの前面をほぼ面一とする長さに設定されていることを特徴とする請求項２に記載の平面スイッチ。
【請求項４】
前記位置決めアダプターに対して係止され、前記操作ユニット及び前記位置決めアダプターの前面側を覆うカバーを備えていることを特徴とする請求項１から請求項３のいずれか１項に記載の平面スイッチ。
【請求項５】
前記操作ユニットは、正面視の外形が矩形状であり、
前記位置規制部は、前記操作ユニットの外周部の対向する２つ辺と、残る２つ辺のうちの少なくとも１つの辺に対応して設けられていることを特徴とする請求項１から請求項４のいずれか１項に記載の平面スイッチ。
【請求項６】
前記付勢部は、ほぼ平行に配置された２つの板ばねを備え、
前記板ばねは、
中央側に位置する基部と、
前記基部の両外側に位置する弾性部と、を備え、
前記弾性部は、前記基部から外側に向かって、外側ほど前記開口部側に近づく傾斜を有しており、
４つの前記弾性部の端部が前記操作ユニットの後面側に当接して、前記操作ユニットが４点支持の状態で前記開口部側に付勢されていることを特徴とする請求項１から請求項５のいずれか１項に記載の平面スイッチ。
【請求項７】
前記操作ユニットは静電容量式であることを特徴とする請求項１から請求項６のいずれか１項に記載の平面スイッチ。
【請求項８】
前記操作ユニットに電気的に接続されるスイッチ本体部と、
前記スイッチ本体部を取り付ける取付アダプターであって、前記開口部の奥側の奥面を形成する奥面部材に設置されるスイッチ本体取付部に取り付けられる取付アダプターと、
を備え、
前記付勢部が、前記取付アダプターに取り付けられていることを特徴とする請求項１から請求項７のいずれか１項に記載の平面スイッチ。
【請求項９】
請求項８に記載の平面スイッチと、
前記スイッチ本体取付部と、を備えていることを特徴とする平面スイッチユニット。
【発明の詳細な説明】
【技術分野】
【０００１】
本発明は平面スイッチ及び平面スイッチユニットに関するものである。
【背景技術】
【０００２】
壁に埋め込まれた状態で取り付けて使用するとともに、壁から取外してリモコンとしても使用可能な照明用スイッチが知られている（特許文献１参照）。
特許文献１の照明用スイッチでは、静電容量センサを用いてスイッチを構成しているのでスイッチ部分が平面である。
【先行技術文献】
【特許文献】
【０００３】
【特許文献１】特開２０１２―０５９５８０号公報
【発明の概要】
【発明が解決しようとする課題】
【０００４】
ところで、静電容量センサを用いたスイッチの場合、スイッチの操作ユニットを平らに構成することが可能である。
このため、例えば、建物の壁等に設置する場合、操作ユニットを設置する開口部が設けられた壁等とほぼ面一（例えば、操作ユニットの操作面と壁面がほぼ同一平面状）になるように設置できれば、部屋等の美観を高めることが可能である。
【０００５】
しかしながら、建物の内壁と外壁との間の距離寸法は建物ごとに様々であるため、操作ユニットが平らであったとしても、内壁に対してスイッチを取り付けたときに、必ずしも、そのスイッチの操作ユニットの操作面が外壁とほぼ面一の状態になるとは言えない。
このように、操作ユニットが外壁からほとんど突出しないように設置することは、操作ユニットの操作面が平らであったとしても、簡単に行えるものではないという問題がある。
【０００６】
本発明は、上記事情に鑑みてなされたものであり、設置される開口部からほとんど飛び出さないように操作ユニットを簡単に設置できる平面スイッチ及び平面スイッチユニットを提供することを目的とする。
【課題を解決するための手段】
【０００７】
本発明は、上記目的を達成するために、以下の構成によって把握される。
（１）本発明の平面スイッチは、前面板に設けられた開口部より奥側に配置される付勢部と、前記付勢部によって前記開口部側に付勢される板状の操作ユニットと、前記開口部の開口縁部に取り付けられ、前記付勢部の付勢力に抗して前記操作ユニットの位置を決める位置決めアダプターと、を備える。
【０００８】
（２）上記（１）の構成において、前記位置決めアダプターは、前記開口縁部に対して前記前面板の前面側から取り付けられ、前記操作ユニットの外周部に沿った枠状部と、前記枠状部に設けられ、前記操作ユニットに当接して前記操作ユニットの位置を決める複数の位置規制部と、を備え、前記位置規制部は、前記枠状部から内側に突出し、前記操作ユニットの外周部の前面側に当接する当接片を備えている。
【０００９】
（３）上記（１）の構成において、前記位置決めアダプターは、前記開口縁部に対して前記前面板の後面側に取り付けられ、前記操作ユニットの外周部に沿った枠状部と、前記枠状部に設けられ、前記操作ユニットに当接して前記操作ユニットの位置を決める複数の位置規制部と、を備え、前記位置規制部は、前記枠状部から前記開口部を通って前記前面板の前面側に向かって延びる弾性変形可能なアーム部と、前記アーム部の先端側に設けられ、前記操作ユニットの外周部の前面側に当接する爪部と、を備えている。
【００１０】
（４）上記（３）の構成において、前記アーム部は、前記アーム部の長さが、前記前面板の前面に対して前記操作ユニットの前面をほぼ面一とする長さに設定されている。
【００１１】
（５）上記（１）から（４）のいずれか１つの構成において、前記位置決めアダプターに対して係止され、前記操作ユニット及び前記位置決めアダプターの前面側を覆うカバーを備えている。
【００１２】
（６）上記（２）、（４）及び（５）のいずれか１つの構成において、前記操作ユニットは、正面視の外形が矩形状であり、前記位置規制部は、前記操作ユニットの外周部の対向する２つ辺と、残る２つ辺のうちの少なくとも１つの辺に対応して設けられている。
【００１３】
（７）上記（１）から（６）のいずれか１つの構成において、前記付勢部は、ほぼ平行に配置された２つの板ばねを備え、前記板ばねは、中央側に位置する基部と、前記基部の両外側に位置する弾性部と、を備え、前記弾性部は、前記基部から外側に向かって、外側ほど前記開口部側に近づく傾斜を有しており、４つの前記弾性部の端部が前記操作ユニットの後面側に当接して、前記操作ユニットが４点支持の状態で前記開口部側に付勢されている。
【００１４】
（８）上記（１）から（７）のいずれか１つの構成において、前記操作ユニットは静電容量式である。
【００１５】
（９）上記（１）から（８）のいずれか１つの構成において、前記操作ユニットに電気的に接続されるスイッチ本体部と、前記スイッチ本体部を取り付ける取付アダプターであって、前記開口部の奥側の奥面を形成する奥面部材に設置されるスイッチ本体取付部に取り付けられる取付アダプターと、を備え、前記付勢部が、前記取付アダプターに取り付けられている。
【００１６】
（１０）本発明の平面スイッチユニットは、上記（９）の構成の平面スイッチと、前記スイッチ本体取付部と、を備えている。
【発明の効果】
【００１７】
本発明によれば、設置される開口部からほとんど飛び出さないように操作ユニットを簡単に設置できる平面スイッチ及び平面スイッチユニットを提供することができる。
【図面の簡単な説明】
【００１８】
【図１】本発明に係る第１実施形態の平面スイッチユニットが部屋等の壁内に埋め込まれて設置されている状態を示す斜視図である。
【図２】第１実施形態の平面スイッチユニットの平面スイッチのカバーを取り外したところを示す斜視図である。
【図３】第１実施形態の平面スイッチユニットのスイッチ本体取付部を内壁に取り付けたところを示す斜視図である。
【図４】第１実施形態の取付アダプターをスイッチ本体取付部に取り付けるところを説明する斜視図である。
【図５】第１実施形態のスイッチ本体部の収納ボックスを取付アダプターに取り付けるところを説明する斜視図である。
【図６】第１実施形態のスイッチ本体部の回路ユニットを収納ボックスに取り付けるところを説明する斜視図である。
【図７】第１実施形態の付勢部を構成する板ばねを取付アダプターに取り付けるところを説明する斜視図である。
【図８】第１実施形態の操作ユニットを開口部に嵌め込んだ状態を示す斜視図である。
【図９】第１実施形態の操作ユニットの静電容量式のセンサ部分の構成を説明するための断面図であり、（ａ）はスイッチの操作が行われていない状態を示す図であり、（ｂ）はスイッチの操作が行われている状態を示す図である。
【図１０】第１実施形態の位置決めアダプターを開口縁部に取り付けるところを説明する斜視図である。
【図１１】第１実施形態の位置決めアダプターの斜視図である。
【図１２】本発明に係る第２実施形態の位置決めアダプターの斜視図である。
【図１３】第２実施形態の位置決めアダプターを開口縁部に取り付けるところを説明する斜視図である。
【発明を実施するための形態】
【００１９】
以下、本発明を実施するための形態(以下、「実施形態」という)を、添付図面に基づいて詳細に説明する。
なお、実施形態の説明の全体を通して同じ要素には同じ番号を付している。
【００２０】
（第１実施形態）
図１は、第１実施形態の平面スイッチユニット１が部屋等の壁内に埋め込まれて設置されている状態を示す斜視図である。
なお、図１では、外壁Ｗ１と内壁Ｗ２の一部だけを模式的に示している。
また、図２は、平面スイッチユニット１の平面スイッチのカバー１０を取り外したところを示す斜視図である。
【００２１】
本実施形態の平面スイッチユニット１は、例えば、部屋の照明機器等のスイッチとなるものである。
ただし、本発明の平面スイッチユニット１は照明以外のもの（空調設備や家電製品、シャッターやカーテン等）を操作するためのスイッチに用いられてもよい。
また、本実施形態では、部屋等の壁に平面スイッチユニット１を設置する場合について説明するが、設置される場所は壁に限定されるものではなく、机等であってもよい。
【００２２】
図２に示すように、部屋等の外壁Ｗ１には、開口部ＯＰが形成されており、その開口部ＯＰに対応する部分に平面スイッチユニット１は設置される。
以下、平面スイッチユニット１の設置手順に従って平面スイッチユニット１について説明する。
【００２３】
図３は内壁Ｗ２に平面スイッチユニット１のスイッチ本体取付部２を取り付けたところを示す斜視図である。
スイッチ本体取付部２は、一般に市販されているＪＩＳの規格に沿ったスイッチボックスである。
【００２４】
したがって、リフォーム等で現在スイッチが設けられているところに本実施形態の平面スイッチを取り付ける場合には、はじめからスイッチ本体取付部２が設置されている場合があり、その場合には、このスイッチ本体取付部２を設置する作業は不要となる。
【００２５】
また、このようにスイッチ本体取付部２は、あらかじめ設置されている場合があるので、本実施形態の平面スイッチにおいて、このスイッチ本体取付部２は準備する必要がない場合がある。
このため、本明細書では、スイッチ本体取付部２以外の部分を平面スイッチと呼び、スイッチ本体取付部２を含めたものを平面スイッチユニット１と呼ぶ。
【００２６】
ただし、本実施形態では、スイッチ本体取付部２にＪＩＳの規格に沿ったスイッチボックスを用いているが、必ずしも、スイッチ本体取付部２にＪＩＳの規格に沿ったスイッチボックスを用いなければならないわけではなく、必要に応じて、スイッチ本体取付部２は、ＪＩＳ規格と異なる形状のものであってもよい。
【００２７】
図３に示すように、外壁Ｗ１の開口部ＯＰ（図２参照）を通じて、内壁Ｗ２にスイッチ本体取付部２を取り付けたら、次に、図４に示すように、スイッチ本体取付部２に取付アダプター３をネジ３ａで取り付ける。
【００２８】
そして、取付アダプター３の取り付けが終わると、その取付アダプター３に後述するようにスイッチ本体部４の取り付けを行う。
つまり、取付アダプター３を用いるようにすることで、市販のスイッチボックスからなるスイッチ本体取付部２に対して、任意のスイッチ本体部４を取り付けることが可能となる。
【００２９】
なお、市販のスイッチボックスをスイッチ本体取付部２に用いないで、個別に設計したスイッチ本体取付部２を用いる場合でも取付アダプター３を使用するようにしておけば、スイッチ本体部４を別の設計のものに取り換えるときに、取付アダプター３だけを変更すれば、別の設計のスイッチ本体部４をスイッチ本体取付部２に取り付けることが可能であるので、個別に設計したスイッチ本体取付部２を使用する場合にも取付アダプター３を用いるようにしておくほうがよい。
【００３０】
具体的に、取付アダプター３へのスイッチ本体部４の取り付けについて説明する。
スイッチ本体部４は、収納ボックス４ａと、その収納ボックス４ａに収納される回路ユニット４ｂと、図示しない無線ユニットと、を備えており、まず、図５に示すように、取付アダプター３に対して収納ボックス４ａを固定する。
なお、無線ユニットは、スイッチ操作の対象となる機器との間で通信を行なうためのユニットであり、回路ユニット４ｂに一体に造り込むようにしてもよい。
【００３１】
より具体的には、図４に示すように、取付アダプター３には、収納ボックス４ａを収容するための、収納ボックス設置開口３ｂが設けられ、その収納ボックス設置開口３ｂの四隅には、ネジ４ａａ（図５参照）を螺合させるネジ固定孔３ｃが設けられているので、図５に示すように、収納ボックス４ａを収納ボックス設置開口３ｂに嵌め込んで、収納ボックス４ａの四隅に設けられたネジ孔４ａｂにネジ４ａａを挿入して、そのネジ４ａａを図４に示したネジ固定孔３ｃに螺合させ、取付アダプター３に収納ボックス４ａを固定する。
【００３２】
そして、収納ボックス４ａの取り付けが終わると、次に、図６に示すように、収納ボックス４ａに回路ユニット４ｂを収納し、ネジ４ｂａを用いて回路ユニット４ｂを収納ボックス４ａに取り付ける。
【００３３】
回路ユニット４ｂは、収納ボックス４ａの開口とほぼ同じ外形の回路部４ｂｃと、その回路部４ｂｃの裏側に設けられた電源部（図示せず）と、を備え、回路部４ｂｃの対向する２辺のほぼ中央には外側に突出するように形成されたネジ孔４ｂｂを有する固定部が設けられている。
【００３４】
一方、収納ボックス４ａには、図５に示すように、その回路部４ｂｃの固定部のネジ孔４ｂｂ（図６参照）に対応する位置に設けられたネジ４ｂａを螺合させるネジ固定孔４ａｃが設けられている。
【００３５】
したがって、収納ボックス４ａ内に回路ユニット４ｂの図示しない電源部を収納するようにして回路ユニット４ｂを収納ボックス４ａに装着した後、回路ユニット４ｂの固定部のネジ孔４ｂｂを通じて、ネジ４ｂａを収納ボックス４ａのネジ固定孔４ａｃに螺合させることで回路ユニット４ｂが収納ボックス４ａに固定される。
【００３６】
上記のようにして、取付アダプター３に回路ユニット４ｂと収納ボックス４ａを備えるスイッチ本体部４の取り付けが終わると、図７に示すように、取付アダプター３に付勢部を構成する２つの板ばね５を取り付ける。
なお、この２つの板ばね５で構成される付勢部の役割については後述する。
【００３７】
具体的には、図６に示すように、取付アダプター３の前面には、２つの板ばね５（図７参照）をほぼ平行に配置するように前面から少し段上がりするように形成された一対の板ばね取付部３ｄが形成されており、その板ばね取付部３ｄのそれぞれには、図７に示すネジ５ａを螺合させる一対のネジ固定孔３ｄａが設けられている。
【００３８】
一方、図７に示すように、板ばね５は、中央側に位置する基部５ｂと、基部５ｂの両外側に位置する弾性部５ｃと、を備え、弾性部５ｃは、基部５ｂから外側に向かって、外側ほど内壁Ｗ２から離れる側、つまり、図２に示した外壁Ｗ１に設けられた開口部ＯＰ側に近づく傾斜を有するように、基部５ｂに対して折り曲げられており、この折り曲げによって弾性部５ｃは弾性力を発揮するようになっている。
【００３９】
そして、板ばね５の基部５ｂには、板ばね取付部３ｄの一対のネジ固定孔３ｄａに対応する位置に、一対のネジ孔（図示せず）が設けられており、そのネジ孔を通じて、図７に示すように、ネジ５ａを板ばね取付部３ｄのネジ固定孔３ｄａに螺合させることで付勢部を構成する板ばね５が取付アダプター３に取り付けられる。
【００４０】
このように１つの板ばね５に対して２つのネジ５ａを用いて固定するようにすることで板ばね５が取付アダプター３に対して回転するような動きを抑制することができる。
【００４１】
以上の作業は、図２に示した外壁Ｗ１の開口部ＯＰを通じて行われることになり、図７を参照して説明した付勢部を構成する板ばね５が取付アダプター３に取り付けられた状態になると、図８に示すように、外壁Ｗ１の開口部ＯＰにスイッチの操作を行うための板状の操作ユニット６を嵌め込んでも板ばね５で構成される付勢部が操作ユニット６を開口部ＯＰ側に付勢するようにして操作ユニット６を受けてくれるようになる。
【００４２】
上述のように、本実施形態では、１つの板ばね５には２つの弾性部５ｃが設けられており、そのような板ばね５がほぼ平行に配置されているので、４つの弾性部５ｃの端部５ｃａ（図７）が操作ユニット６の後面側に当接して、４点支持の状態で操作ユニット６が安定して付勢部によって付勢支持されるようになっている。
【００４３】
ただし、付勢部の構成は、このような板ばね５による構成に限定される必要はなく、圧縮コイルばねであってもよく、３点支持である等、安定して付勢支持される態様であればよい。
【００４４】
なお、図７に示すように、スイッチ本体部４の回路ユニット４ｂの前面側には、操作ユニット６との間での通信や操作ユニット６への電力の供給を行うための電気接続を行うための電気コネクタ部４ｂｄが設けられており、図８に示すように、操作ユニット６を開口部ＯＰに嵌め込むのに先立って、操作ユニット６の後面側に設けられた図示しない電気コネクタ部とスイッチ本体部４の回路ユニット４ｂの電気コネクタ部４ｂｄとの間を、コネクタを有する電気配線で電気的に接続している。
【００４５】
ここで、本実施形態では、操作ユニット６として静電容量式のセンサで構成されるものを用いており、図９を参照して簡単に構成について説明すると、スイッチ操作のためにユーザが指Ｆを近付けるセンサ基板４１の部分には、図９（ａ）に示すように、前面４１ａ側にドライブライン５１及びセンターライン５２が設けられ、センサ基板４１の後面４１ｅ側にグランド５３が設けられている。
【００４６】
そして、図９（ａ）では、電界の様子を電気力線として矢印で示しているが、ドライブライン５１とセンターライン５２及びグランド５３との間には電界が生じるようになっている。
【００４７】
この状態のところに、図９（ｂ）に示すように、ユーザの指Ｆが近づくと電気力線が指Ｆ側に引っ張られ、センターライン５２への電気力線の本数が減少する。
この電気力線の減少、つまり、静電容量の変化を検知することで、スイッチの操作が行われたか否かを検出するようになっている。
【００４８】
なお、操作ユニット６を、その他一般的な他の構成からなる静電容量式のセンサで構成するようにしてもよいが、本実施形態のように、電気力線の変化を検知する構成の場合、センサの表面から指Ｆが離れていても、指Ｆが近づくだけで検知することが可能であるため、例えば、図２に示したカバー１０等を設けたりしても良好なスイッチ操作の検知が可能である。
このため、操作ユニット６は、電気力線の変化を検知するタイプの静電容量式のセンサで構成されることが好ましい。
【００４９】
図８に示したように、操作ユニット６を外壁Ｗ１の開口部ＯＰに配置したら、次に、図１０に示すように、開口部ＯＰ（図８参照）の開口縁部Ｅに位置決めアダプター７を取り付ける。
【００５０】
図１１は、位置決めアダプター７の斜視図である。
図１１に示すように、位置決めアダプター７は、外壁Ｗ１の開口部ＯＰの開口縁部Ｅ（図８参照）に対して外壁Ｗ１の前面側から取り付けられ、操作ユニット６の外周部に沿った枠状部７ａと、枠状部７ａに設けられ、操作ユニット６に当接して操作ユニット６の位置を決める複数の位置規制部７ｂと、を備えている。
【００５１】
具体的には、位置規制部７ｂは、枠状部７ａから内側に突出し、操作ユニット６の外周部の前面側に当接する当接片７ｂａを備えており、図８に示すように、操作ユニット６の外周部には、その当接片７ｂａが当接する部分に対応する箇所に、当接片７ｂａの厚みとほぼ同じ凹部６ａが形成されている。
【００５２】
そして、図８に示すように、外壁Ｗ１の開口部ＯＰの四隅に対応した開口縁部Ｅには、図１０に示すネジ７ｄａを螺合させるネジ固定孔Ｅ１が形成されており、図１０に示すように、位置決めアダプター７の位置規制部７ｂとなる当接片７ｂａを操作ユニット６の外周部の凹部６ａに当接させるように位置決めアダプター７を配置して、位置決めアダプター７の枠状部７ａの四隅に設けられたネジ孔７ｄを通じてネジ７ｄａを開口縁部Ｅに設けられたネジ固定孔Ｅ１（図８参照）に螺合させることで、位置決めアダプター７が開口部ＯＰの開口縁部Ｅに取り付けられる。
【００５３】
そうすると、操作ユニット６は、板ばね５で構成される付勢部の付勢力に抗するように位置決めアダプター７によって押圧されて、外壁Ｗ１とほぼ面一となるように位置決めされる。
【００５４】
なお、本実施形態では、位置決めアダプター７の当接片７ｂａで構成された位置規制部７ｂ（図１１参照）は、図１０に示すように、正面視の外形が矩形状である操作ユニット６の外周部の対向する２つ辺と、残る２つ辺のうちの少なくとも１つの辺に対応して設けられており、このように三角形を描くような３点で操作ユニット６の位置規制を行うことで安定した位置決めができる。
【００５５】
ただし、位置規制は３点で行うことに限定されるものではなく、４点以上で行うようにしてもよく、２点であっても当接片７ｂａの当接する範囲を広くすることで安定した操作ユニット６の位置規制が可能であるため２点であってもよい。
【００５６】
ところで、本実施形態では、位置決めアダプター７が、外壁Ｗ１の開口部ＯＰの開口縁部Ｅ（図８参照）に対して外壁Ｗ１の前面側から取り付けられているため、この位置決めアダプター７の厚み分だけ、若干、外壁Ｗ１から出っ張った状態となる。
【００５７】
そこで、図２に示すように、操作ユニット６及び位置決めアダプター７の前面側を覆うカバー１０を設けるようにすれば、見栄えを良くすることができる。
【００５８】
具体的には、図１１に示すように、位置決めアダプター７には、枠状部７ａの対向する２辺に設けられ、枠状部７ａから開口部ＯＰ内に挿入されるように延出した係止部７ｃが設けられており、その係止部７ｃには係止孔７ｃａが設けられている。
【００５９】
そして、図１０に示すように、操作ユニット６の外周部には、位置決めアダプター７の係止部７ｃに対応する位置に切り欠き部６ｂが設けられており、図２に示したカバー１０は、この切り欠き部６ｂに対応する位置に位置決めアダプター７の係止部７ｃの係止孔７ｃａに係止するラッチ部が設けられており、カバー１０が位置決めアダプター７に対して係止されるようになっている。
【００６０】
なお、カバー１０の外周部１０ａの後面側には、位置決めアダプター７の枠状部７ａを収容する図示しない溝部が形成されており、この溝部に位置決めアダプター７の枠状部７ａが収容されるので、カバー１０は外壁Ｗ１に当接して外壁Ｗ１との間に隙間ができないように取り付けられるようになっている。
【００６１】
以上のように、本実施形態によれば、外壁Ｗ１からの出っ張りが極めて少ない見栄えのよい平面スイッチの設置が可能である。
なお、本実施形態では、外壁Ｗ１と内壁Ｗ２とを有する部屋等の壁に平面スイッチを設置する場合について説明を行ったが、平面スイッチの設置場所は壁に限定されるものでないことについては、はじめに述べたとおりである。
【００６２】
したがって、開口部を有する前面板と、その開口部の奥側の奥面を形成する奥面部材とが存在するところであれば、壁に限らず、本実施形態の平面スイッチ及び平面スイッチユニット１を設けることが可能である。
このため、上記の第１実施形態で説明された内容は、外壁Ｗ１を前面板とし、内壁Ｗ２を開口部の奥側の奥面を形成する奥面部材として解釈されるべきものである。
【００６３】
（第２実施形態）
上述したように、第１実施形態でも外壁Ｗ１からの出っ張りが極めて少ない見栄えのよい平面スイッチの設置が可能であるが、位置決めアダプター７が外壁Ｗ１の開口部ＯＰの開口縁部Ｅ（図８参照）に対して外壁Ｗ１の前面側から取り付けられることによる幾分の出っ張りがある。
【００６４】
そこで、第２実施形態では、位置決めアダプター７を外壁Ｗ１の開口部ＯＰの後面側の開口縁部に取り付けられるようにすることで、外壁Ｗ１の前面側とほぼ面一に平面スイッチを設置できるようにした場合について説明する。
【００６５】
なお、第２実施形態において、第１実施形態と異なる点は、この位置決めアダプター７だけであり、その他の構成は、第１実施形態と同様である。
したがって、以下では、第１実施形態と異なる点について主に説明し、同様の点に関しては説明を省略する場合がある。
【００６６】
図１２は第２実施形態の位置決めアダプター７の斜視図であり、図１３は第２実施形態の位置決めアダプター７を外壁Ｗ１の後面側の開口縁部に取り付けた状態を示す斜視図である。
なお、図１３では内壁Ｗ２の図示を省略している。
【００６７】
図１２に示すように、位置決めアダプター７は、外壁Ｗ１（前面板）の後面側の開口縁部（図８の開口縁部Ｅに対応する外壁Ｗ１の後面の範囲）に対して取り付けられる、操作ユニット６の外周部に沿った枠状部７ａと、枠状部７ａに設けられ、操作ユニット６に当接して操作ユニット６の位置を決める複数の位置規制部７ｂと、を備えている。
【００６８】
図１１に示した第１実施形態の位置決めアダプター７では、枠状部７ａの四隅にネジ７ｄａ（図１０参照）を通すネジ孔７ｄが設けられていたが、第２実施形態の位置決めアダプター７では、図１２に示すように、枠状部７ａの四隅にネジ７ｄａ（図１３参照）を螺合させるネジ固定孔７ｅが設けられている。
【００６９】
そして、図１３に示すように、外壁Ｗ１（前面板）の前面側から外壁Ｗ１を貫通させるようにネジ７ｄａを挿入して、ネジ７ｄａを外壁Ｗ１（前面板）の後面側に配置された位置決めアダプター７の枠状部７ａの四隅のネジ固定孔７ｅに螺合させることで、位置決めアダプター７が外壁Ｗ１（前面板）の後面側に固定される。
【００７０】
ここで、図１２及び図１３に示すように、第２実施形態の位置決めアダプター７では、位置規制部７ｂの構成が第１実施形態の位置決めアダプター７の位置規制部７ｂ（図１１参照）と異なっている。
【００７１】
具体的には、図１２及び図１３に示すように、第２実施形態の位置決めアダプター７の位置規制部７ｂは、枠状部７ａから開口部ＯＰを通って外壁Ｗ１（前面板）の前面側に向かって延びる弾性変形可能なアーム部７ｂｃと、アーム部７ｂｃの先端側に設けられ、操作ユニット６（図示せず）の外周部の前面側に当接する爪部７ｂｄと、を備えている。
【００７２】
また、図１２に示すように、第２実施形態の位置決めアダプター７では、操作ユニット６の面方向での位置決めを行うためのボス７ｆが設けられており、図８に示す操作ユニット６の外周部に設けられた位置決め孔６ｅに、このボス７ｆが挿入されることで面方向の位置決めができるようになっている。
【００７３】
そして、図１３に示すように、位置決めアダプター７を外壁Ｗ１（前面板）の後面に取り付けたら、位置決め孔６ｅにボス７ｆが挿入されるように位置合わせをして、操作ユニット６を開口部ＯＰ内に押し込んでいく。
そうすると、上述したようにアーム部７ｂｃが弾性変形可能であるため、アーム部７ｂｃが位置決めアダプター７の側面に沿って少し外側に撓む。
【００７４】
そして、爪部７ｂｄが位置決めアダプター７の前面側に到達する位置まで操作ユニット６が押し込まれると、外側に撓むように弾性変形していたアーム部７ｂｃが弾性力で元の状態に戻り、爪部７ｂｄが操作ユニット６（図示せず）の外周部の前面側に当接する。
【００７５】
一方、操作ユニット６（図示せず）は、付勢部を構成する板ばね５によって操作ユニット６（図示せず）の後面が開口部ＯＰ側に付勢されているが、上述のように、位置決めアダプター７の位置規制部７ｂの爪部７ｂｄが操作ユニット６（図示せず）の外周部の前面側に当接する状態になると、その爪部７ｂｄが操作ユニット６（図示せず）の開口部ＯＰ側への動きを規制し、所定の位置に操作ユニット６（図示せず）が位置決めされることになる。
【００７６】
なお、位置規制部７ｂの爪部７ｂｄが操作ユニット６（図示せず）の外周部の前面側に当接する状態となったときに、操作ユニット６（図示せず）の前面が外壁Ｗ１の前面と面一になるように位置決めアダプター７の位置規制部７ｂのアーム部７ｂｃの長さを設定しておくことで、位置決めアダプター７の位置規制部７ｂの爪部７ｂｄを操作ユニット６（図示せず）の外周部の前面側に当接させるだけで操作ユニット６（図示せず）と外壁Ｗ１の前面を面一にすることができる。
【００７７】
そして、図１２及び図１３に示すように、第２実施形態の位置決めアダプター７も、枠状部７ａの対向する２辺に設けられ、カバー１０（図２参照）を係止止めするための係止孔７ｃａを有した枠状部７ａから開口部ＯＰ内に挿入されるように延出した係止部７ｃが設けられているので、最後に、この係止部７ｃの係止孔７ｃａにカバー１０（図２参照）の図示しないラッチ部を係止させるようにしてカバー１０を取り付けるようにする。
【００７８】
ただし、この第２実施形態の場合には、外壁Ｗ１の前面側とほぼ面一に平面スイッチが設置できるため、この平面スイッチの部分をカバー１０で覆うのではなく、平面スイッチの部分だけ透明にした壁紙を張るようにして、全く出っ張りを感じることのない美観を演出することも可能である。
【００７９】
なお、操作ユニット６に光源を設けておけば、操作ユニット６の前面側にスイッチを示す図や記号等を印刷したハーフミラーのシートやプレートを設けておくようにして、夜間等の操作ユニット６の周囲が暗いときに操作ユニット６に設けた光源を点灯させることで、その図や記号等が浮かび上がるような演出も可能である。
【００８０】
以上、本発明を実施形態に基づき説明したが、本発明は上記実施形態に限定されるものではなく、その要旨を逸脱しない範囲で種々変更が可能であり、そのことは、当業者にとって特許請求の範囲の記載から明らかである。
【符号の説明】
【００８１】
１…平面スイッチユニット、２…スイッチ本体取付部、３…取付アダプター、３ｂ…収納ボックス設置開口、３ｄ…板ばね取付部、４…スイッチ本体部、４ａ…収納ボックス、４ｂ…回路ユニット、４ｂｃ…回路部、４ｂｄ…電気コネクタ部、５…板ばね、５ｂ…基部、５ｃ…弾性部、５ｃａ…端部、６…操作ユニット、６ａ…凹部、６ｂ…切り欠き部、６ｅ…位置決め孔、７…位置決めアダプター、７ａ…枠状部、７ｂ…位置規制部、７ｂａ…当接片、７ｂｃ…アーム部、７ｂｄ…爪部、７ｃ…係止部、７ｃａ…係止孔、７ｆ…ボス、１０…カバー、４１…センサ基板、４１ａ…前面、４１ｅ…後面、５１…ドライブライン、５２…センターライン、５３…グランド、Ｅ…開口縁部、Ｆ…指、ＯＰ…開口部、Ｗ１…外壁、Ｗ２…内壁
【図１】
0006449193.tif 000002
【図２】
0006449193.tif 000003
【図３】
0006449193.tif 000004
【図４】
0006449193.tif 000005
【図５】
0006449193.tif 000006
【図６】
0006449193.tif 000007
【図７】
0006449193.tif 000008
【図８】
0006449193.tif 000009
【図９】
0006449193.tif 000010
【図１０】
0006449193.tif 000011
【図１１】
0006449193.tif 000012
【図１２】
0006449193.tif 000013
【図１３】
0006449193.tif 000014